(57)【要約】 【課題】吊戸式引戸に衝撃荷重が加えられた際においても脱輪を防止し得る戸車装置を提供する。【解決手段】レール３上を転動する車輪２１が設けられてなる吊下支持部材１８に、下面部当接部２７と、後面部当接部２９を設ける。下面部当接部２７は、吊戸６に上下方向の衝撃荷重が加わった場合に、車輪２１が浮き上がってレール３から脱輪するのを防止できるようにレールの下面部２６と当接できる。後面部当接部２９は、吊戸６に前後方向の衝撃荷重が加わって車輪２１が前方に移動した場合にレール３の後面部２８に当接してレール３から車輪２１が脱輪するのを防止する。【選択図】図２
2014091928.tif 000002
【特許請求の範囲】
【請求項１】
レールに吊下状態に装着されて左右方向でスライドして開口部を開閉する吊戸式引戸の上部に設けられる脱輪防止戸車装置であって、
前記上部に取着される取着部に立壁部が立設状態に設けられてなる吊下支持部材の該立壁部の後側部に、前記レールの上端の走行部を転動する車輪が回転自在に設けられており、
前記吊下支持部材には、前記車輪が浮き上がって前記レールから脱輪するのを防止できるように該レールの下面部に当接し得る下面部当接部と、前記車輪が前方に移動して前記レールから脱輪するのを防止できるように前記レールの後面部に当接し得る後面部当接部が設けられる如く構成されており、
該下面部当接部は、前記下面部から下方に下方規制距離を隔てる如く、前記吊戸式引戸を前記レールに吊下状態に装着した後に設けられると共に、前記後面部当接部は、前記後面部から後方に後方規制距離を隔てる如く、前記吊戸式引戸を前記レールに吊下状態に装着した後に設けられることを特徴とする吊戸式引戸の脱輪防止戸車装置。
【請求項２】
前記下面部当接部は下面部当接部材を用いて構成されており、該下面部当接部材は、前記立壁部の前面部に着脱可能にビス固定される基片の左右側に側片が突設されてなり、該両側片は、前記車輪の下側に位置させて前記立壁部に設けられてなる左右の挿通溝にその前側からその後側に向けて挿通されるものであり、該左右の挿通溝を挿通した該両側片の該挿通溝から後方に突出した突出部分の下端が前記取着部の上面部に当接する如くなされ、該当接した状態で、該突出部分の上端が前記下面部当接部となることを特徴とする請求項１記載の吊戸式引戸の脱輪防止戸車装置。
【請求項３】
前記後面部当接部は後面部当接部材を用いて構成されており、該後面部当接部材は、前記立壁部の前面部に着脱可能にビス固定される固定片に後方突出片が設けられてなり、該後方突出片は、前記車輪が存する後側に向けて突出し且つ前記レールの後面部に当接し得る前記後面部当接部を有することを特徴とする請求項１記載の吊戸式引戸の脱輪防止戸車装置。
【請求項４】
前記後面部当接部は、前方に向けて先細となる爪状部の先端の鋭部として構成されていることを特徴とする請求項１、２又は３記載の吊戸式引戸の脱輪防止戸車装置。
【請求項５】
前記後方突出片の下端部分に、前記レールの前記走行部を嵌め入れるための、下端が開放した切欠開口部が設けられており、該切欠開口部の下端の後側の縁部が前記後面部当接部とされていることを特徴とする請求項３記載の吊戸式引戸の脱輪防止戸車装置。
【請求項６】
前記後方突出片の下端部分に、前記レールの前記走行部を嵌め入れるための、下端が開放した切欠開口部が設けられており、該切欠開口部は、円の下端側の部分が切除された円弧状の切欠開口部として構成されており、該円弧状の切欠開口部の下端の後側の縁部が前記後面部当接部とされており、該後面部当接部である該後側の縁部は、前方に向けて先細となる爪状部の先端の鋭部として構成されていることを特徴とする請求項３記載の吊戸式引戸の脱輪防止戸車装置。
【請求項７】
前記レールに吊下状態に装着されて左右方向でスライドして開口部を開閉する吊戸式引戸を具える吊戸式引戸装置であって、該吊戸式引戸の上部に、請求項１〜６の何れかに記載の吊戸式引戸の脱輪防止戸車装置が設けられていることを特徴とする脱輪防止機能を有する吊戸式引戸装置。
【請求項８】
レールに吊下状態に装着されて左右方向でスライドして開口部を開閉する吊戸式引戸の脱輪防止方法であって、
該吊戸式引戸の上部には吊下支持部材が設けられてなり、該吊下支持部材は、該上部に取着される取着部に立壁部が立設状態に設けられてなり該立壁部の後側部に、前記レールの上端の走行部を転動する車輪が回転自在に設けられており、該吊下支持部材には、前記車輪が浮き上がって前記レールから脱輪するのを防止できるように前記レールの下面部に当接し得る下面部当接部が、該下面部から下方に下方規制距離を隔てる如く設けられるものとなされると共に、前記吊下支持部材には、前記車輪が前方に移動して前記レールから脱輪するのを防止できるように前記レールの後面部に当接し得る後面部当接部が、該後面部から後方に後方規制距離を隔てる如く設けられるものとなされており、
前記下面部当接部と前記後面部当接部とを前記立壁部から取り外した状態で前記吊戸式引戸を前記レールに吊下状態に装着して後に、該下面部当接部と該後面部当接部を前記立壁部に設けることを特徴とする吊戸式引戸の脱輪防止方法。
【請求項９】
前記下面部当接部は下面部当接部材を用いて構成し、該下面部当接部材は、前記立壁部の前面部に着脱可能にビス固定される基片の左右側に側片が突設されたものとして構成し、前記後面部当接部は後面部当接部材を用いて構成し、該後面部当接部材は、前記立壁部の前面部に着脱可能にビス固定される固定片に、前記レールの後面部に当接し得る前記後面部当接部を有する後方突出片が設けられたものとして構成し、
前記吊戸式引戸を前記レールに吊下状態に装着した後に、
前記立壁部に設けられた左右の挿通溝に前記左右の側片を挿通させると共に該両側片の該挿通溝から後方に突出した突出部分の下端を前記取着部の上面部に当接させた状態で前記基片を前記立壁部の前面部に着脱可能にビス固定することによって、該突出部分の上端を前記下面部当接部となし、又、前記後方突出片を、前記後面部当接部が前記レールの前記後面部と対向する状態として後、前記固定片を前記立壁部の前面部に着脱可能にビス固定することを特徴とする請求項８記載の吊下式引戸の脱輪防止方法。
【発明の詳細な説明】
【技術分野】
【０００１】
本発明は、吊戸式引戸の脱輪防止戸車装置に関するものであり、又、これを用いる脱輪防止機能を有する吊戸式引戸装置に関するものであり、更に、吊戸式引戸の脱輪防止方法に関するものである。
【背景技術】
【０００２】
学校や病院、福祉施設等における間仕切り用の引戸の一例として吊戸式引戸が用いられている。該吊戸式引戸は、レールに吊下状態に装着されて左右方向でスライドして開口部を開閉するように構成されており、該吊戸式引戸の戸先側と戸尻側に夫々設けられた戸車装置は、該レール上を転動する１個の車輪が回転自在に設けられてなるものであった。
【０００３】
そのため、該吊戸式引戸に衝撃が加えられた際にその衝撃が車輪に伝わり該車輪がレールから脱輪する恐れがあった。このような脱輪が発生する場合の一例としては、例えば、吊戸式引戸を勢いよく閉めた際に該引戸が開口部の縦枠に当たって跳ね返るとき等に発生する上下方向の衝撃で該引戸が浮き上がって脱輪する場合を挙げることができる。特に学校間仕切りの引戸は頻繁に開け閉めされるために、かかる上下方向の衝撃に起因する脱輪の恐れが高かった。又、引戸の側面部に人や車椅子が誤ってぶつかる等して引戸にその側面から衝撃的な横荷重が加わったときも、引戸が浮き上がったり引戸が撓んだりして脱輪する恐れがあった。
【０００４】
そこで、引戸に加えられた衝撃を吸収する機能を有する吊戸式引戸装置として特許文献１が開示するものが提案されている。特許文献１の図５に記載されている吊戸式引戸装置ａは、図２５に示すように、レールｂに吊下状態に装着されて左右方向でスライドして開口部を開閉する引戸ｃと、該引戸ｃを吊り下げる吊金具ｄと、レールｂの上を走行する車輪ｅと、該吊金具ｄと引戸ｃとを連結する連結部材ｆと、引戸ｃに加えられた衝撃を吸収する緩衝部材ｇを具えている。又、該吊金具ｄの鉛直板部ｈには、前記レールｂの直下において水平状態に突出する、ネジ軸又はピン等としての軸状支持部材ｊが突設されている。
【０００５】
そして特許文献１の説明によると、該引戸ｃに衝撃が加わった際は、図２６に示すように、引戸ｃが傾き、該引戸ｃと前記吊金具ｄとによって前記緩衝部材ｇが弾性的に圧縮され、従って、該引戸ｃに加えられた衝撃は、緩衝部材ｇを圧縮する力に変換されて吸収されることとなり、その衝撃による車輪ｅの離脱が防止されると記載されている。又、引戸ｃに加えられた衝撃によって吊金具ｄが持ち上げられると、前記軸状支持部材ｊ（図２５）が前記レールｂの下面部ｋに当接することとなり、該緩衝部材ｇの緩衝機能と相まって、車輪ｅの離脱が防止されると説明されている。
【０００６】
ところで、前記引戸ｃに加えられた衝撃のうち上下方向の衝撃によって引戸ｃが浮き上がった場合は、前記軸状支持部材ｊが前記レールｂの下面部ｋに当接することによってそれ以上の引戸の浮き上がりを阻止し得ることから車輪ｅの離脱が防止されると考えられる。しかしながら衝撃的な横方向（前後方向）の荷重に対しては、前記緩衝部材ｇの緩衝作用によって脱輪を防止できるとは必ずしもいえないと考えられる。なぜなら、特許文献１においては、緩衝部材ｇが弾性圧縮されることに伴う衝撃吸収によって車輪ｅの離脱を防止できるとされている（図２６）が、横方向（前後方向）の衝撃荷重によって引戸が傾いたときは例えば図２７に示すように前記吊金具ｄも同時に傾くこととなり、これに伴い車輪ｅが同図に示すように傾き、該衝撃荷重が大きいときは該車輪ｅがレールｂから離脱すると考えられる。
【０００７】
特許文献１の段落００２１にも記載されているように、一般に、車輪ｅを滑らかに走行させるためには、該車輪ｅの外周面には前記レールｂの走行部ｍに嵌め合わされる円弧状の周溝ｎが形成されると共に該走行部ｍの断面形状が略円形乃至円弧状に設定されると考えられるが、そうであるならば、横荷重によって前記引戸ｃが傾いた際に前記吊金具ｄが前記走行部ｍの車輪ｅとの接触点ｐを支点としてなお一層傾き易く、該車輪ｅがレールｂから離脱し易いと考えられる。
【０００８】
このように特許文献１に係る吊戸式引戸装置にあっては、上下方向の衝撃荷重に対する脱輪防止は達成されているとしても、横方向の衝撃荷重に対する脱輪防止は不確実であったのである。
【先行技術文献】
【特許文献】
【０００９】
【特許文献１】特開２００８−８１９５６号公報
【発明の概要】
【発明が解決しようとする課題】
【００１０】
本発明は、前記従来の問題点に鑑みて開発されたものであり、吊戸式引戸に衝撃荷重が加えられた際においても脱輪を防止して吊戸式引戸の外れ防止や転倒防止を図り得る吊戸式引戸の脱輪防止戸車装置の提供を課題とするものであり、又、脱輪防止機能を有する吊戸式引戸装置の提供を課題とするものである。更に、吊戸式引戸をレールに吊下状態に装着する際において、吊戸式引戸の吊下作業を容易に行うことができながら確実に脱輪防止を達成できる吊戸式引戸の脱輪防止方法の提供を課題とするものである。
【課題を解決するための手段】
【００１１】
前記課題を解決するため、本発明は以下の手段を採用する。
即ち、本発明に係る吊戸式引戸用の脱輪防止戸車装置（以下、戸車装置という）の第１の態様は、レールに吊下状態に装着されて左右方向でスライドして開口部を開閉する吊戸式引戸の上部に設けられる脱輪防止戸車装置であって、前記上部に取着される取着部に立壁部が立設状態に設けられてなる吊下支持部材の該立壁部の後側部に、前記レールの上端の走行部を転動する車輪が回転自在に設けられており、前記吊下支持部材には、前記車輪が浮き上がって前記レールから脱輪するのを防止できるように該レールの下面部に当接し得る下面部当接部と、前記車輪が前方に移動して前記レールから脱輪するのを防止できるように前記レールの後面部に当接し得る後面部当接部が設けられる如く構成されている。そして該下面部当接部は、前記下面部から下方に下方規制距離を隔てる如く、前記吊戸式引戸を前記レールに吊下状態に装着した後に設けられると共に、前記後面部当接部は、前記後面部から後方に後方規制距離を隔てる如く、前記吊戸式引戸を前記レールに吊下状態に装着した後に設けられることを特徴とするものである。
【００１２】
本発明に係る戸車装置の第２の態様は、前記下面部当接部が下面部当接部材を用いて構成されており、該下面部当接部材は、前記立壁部の前面部に着脱可能にビス固定される基片の左右側に側片が突設されてなり、該両側片は、前記車輪の下側に位置させて前記立壁部に設けられてなる左右の挿通溝にその前側からその後側に向けて挿通されるものであり、該左右の挿通溝を挿通した該両側片の該挿通溝から後方に突出した突出部分の下端が前記取着部の上面部に当接する如くなされ、該当接した状態で、該突出部分の上端が前記下面部当接部となることを特徴とするものである。
【００１３】
本発明に係る戸車装置の第３の態様は、前記後面部当接部が後面部当接部材を用いて構成されており、該後面部当接部材は、前記立壁部の前面部に着脱可能にビス固定される固定片に後方突出片が設けられてなり、該後方突出片は、前記車輪が存する後側に向けて突出し且つ前記レールの後面部に当接し得る前記後面部当接部を有することを特徴とするものである。
【００１４】
本発明に係る戸車装置の第４の態様は、前記第１、２又は３の態様において、前記後面部当接部が、前方に向けて先細となる爪状部の先端の鋭部として構成されていることを特徴とするものである。
【００１５】
本発明に係る戸車装置の第５の態様は、前記第３の態様において、前記後方突出片の下端部分に、前記レールの前記走行部を嵌め入れるための、下端が開放した切欠開口部が設けられており、該切欠開口部の下端の後側の縁部が前記後面部当接部とされていることを特徴とするものである。
【００１６】
本発明に係る戸車装置の第６の態様は、前記後方突出片の下端部分に、前記レールの前記走行部を嵌め入れるための、下端が開放した切欠開口部が設けられており、該切欠開口部は、円の下端側の部分が切除された円弧状の切欠開口部として構成されており、該円弧状の切欠開口部の下端の後側の縁部が前記後面部当接部とされており、該後面部当接部である該後側の縁部は、前方に向けて先細となる爪状部の先端の鋭部として構成されていることを特徴とするものである。
【００１７】
本発明に係る吊戸式引戸装置は、前記レールに吊下状態に装着されて左右方向でスライドして開口部を開閉する吊戸式引戸を具える吊戸式引戸装置であって、該吊戸式引戸の上部に、前記第１〜第６の態様に係る戸車装置の何れかが設けられていることを特徴とするものである。
【００１８】
本発明に係る吊戸式引戸の脱輪防止方法の第１の態様は、レールに吊下状態に装着されて左右方向でスライドして開口部を開閉する吊戸式引戸の脱輪防止方法であり、該吊戸式引戸の上部には吊下支持部材が設けられてなり、該吊下支持部材は、該上部に取着される取着部に立壁部が立設状態に設けられてなり該立壁部の後側部に、前記レールの上端の走行部を転動する車輪が回転自在に設けられており、該吊下支持部材には、前記車輪が浮き上がって前記レールから脱輪するのを防止できるように前記レールの下面部に当接し得る下面部当接部が、該下面部から下方に下方規制距離を隔てる如く設けられるものとなされると共に、前記吊下支持部材には、前記車輪が前方に移動して前記レールから脱輪するのを防止できるように前記レールの後面部に当接し得る後面部当接部が、該後面部から後方に後方規制距離を隔てる如く設けられるものとなされており、前記下面部当接部と前記後面部当接部とを前記立壁部から取り外した状態で前記吊戸式引戸を前記レールに吊下状態に装着して後に、該下面部当接部と該後面部当接部を前記立壁部に設けることを特徴とするものである。
【００１９】
本発明に係る吊戸式引戸の脱輪防止方法の他の態様は、前記第１の態様において、前記下面部当接部は下面部当接部材を用いて構成し、該下面部当接部材は、前記立壁部の前面部に着脱可能にビス固定される基片の左右側に側片が突設されたものとして構成し、前記後面部当接部は後面部当接部材を用いて構成し、該後面部当接部材は、前記立壁部の前面部に着脱可能にビス固定される固定片に、前記レールの後面部に当接し得る前記後面部当接部を有する後方突出片が設けられたものとして構成し、前記吊戸式引戸を前記レールに吊下状態に装着した後に、前記立壁部に設けられた左右の挿通溝に前記左右の側片を挿通させると共に該両側片の該挿通溝から後方に突出した突出部分の下端を前記取着部の上面部に当接させた状態で前記基片を前記立壁部の前面部に着脱可能にビス固定することによって、該突出部分の上端を前記下面部当接部となし、又、前記後方突出片を、前記後面部当接部が前記レールの前記後面部と対向する状態として後、前記固定片を前記立壁部の前面部に着脱可能にビス固定することを特徴とするものである。
【発明の効果】
【００２０】
本発明は以下の如き優れた効果を奏する。
(1) 本発明に係る戸車装置は、下面部当接部と後面部当接部を具える如く構成され、該下面部当接部は、前記レールの下面部から下方に下方規制距離を隔てる如く設けられると共に、該後面部当接部は、前記レールの後面部から後方に後方規制距離を隔てる如く設けられている。従って本発明によるときは、吊戸式引戸に上下方向の衝撃荷重や前後方向の衝撃荷重が加えられた際においても脱輪を確実に防止できる戸車装置を提供できることとなる。そして該戸車装置を用いることによって、外れ防止や転倒防止を図り得る安全性の高い吊戸式引戸装置を提供できることとなる。
【００２１】
(2) 特に前記下面部当接部を、前記下面部当接部材を用いて構成すると共に、前記後面部当接部を前記後面部当接部材を用いて構成する場合は、吊戸式引戸をレールに吊下状態に装着する作業を容易に行うことができながら確実に脱輪防止を達成できることとなる。
【００２２】
(3) 前記下面部当接部を、前記立壁部の前面部に着脱可能にビス固定される基片の左右両側に側片が突設されてなる下面部当接部材を用いて構成することとし、両側片を前記立壁部に設けられてなる左右の挿通溝に前側からその後側に向けて挿通させ、該左右の挿通溝を挿通した該両側片の該挿通溝から後方に突出した突出部分の下端が前記取着部の上面部に当接する如くなし、該当接した状態で、該突出部分の上端が前記下面部当接部となるように構成するときは、該下面部当接部材は、該両側片を一体に有するために剛性が高く、然も、前記突出部分の下端が前記取着部の上面部に当接状態となるため、該下面部当接部に加わった下方向への衝撃荷重によって該突出部分が変形する恐れがない。従って、該衝撃荷重を前記取着部を介して前記吊戸の上部で安定状態で支持できることとなり、前記車輪が前記レールから脱輪するのを効果的に防止できる。
【００２３】
(4) 前記後面部当接部を、前方に向けて先細となる爪状部の先端の鋭部として構成する場合は、吊戸式引戸に前後方向の衝撃荷重が加えられた際において該鋭部が前記レールの後面部に一瞬、食い込む状態となりやすい。従って、該後面部当接部が該レールの後面部を上滑りしにくく、前記車輪の前後動や上下動をより確実に防止できることとなる。従って吊戸式引戸の脱輪をより効果的に防止できることとなる。
【００２４】
(5) 前記後面部当接部を前記後面部当接部材を用いて構成することとし、該後面部当接部材の有する前記後方突出片の下端部分に、前記レールの走行部を嵌め入れるための円弧状形態を呈する切欠開口部を設ける場合は、前記爪状部を有する切欠開口部を、円形の打ち抜き金型を用いて打ち抜きプレス加工を施すことにより特別な金型を何ら用いることなく簡易に形成できる利点がある。
【００２５】
(6) 又、本発明に係る吊戸式引戸の脱輪防止方法によるときは、吊戸式引戸の吊下作業を容易に行うことができながら確実に脱輪防止を達成できることとなる。
【図面の簡単な説明】
【００２６】
【図１】本発明に係る戸車装置が応用された吊戸式引戸装置を示す正面図である。
【図２】本発明に係る戸車装置を、その車輪がレールに吊下された状態で示す一部断面正面図である。
【図３】本発明に係る戸車装置を分解して示す斜視図である。
【図４】戸車装置を示す斜視図である。
【図５】戸車装置を示す斜視図である。
【図６】下面部当接部材と後面部当接部材を取り外した状態で吊戸をレールに吊下した状態を示す一部断面正面図である。
【図７】下面部当接部材と後面部当接部材を取り付けた状態で、吊戸が浮き上がった場合、その浮き上がり量が規制されて車輪の脱輪が防止される作用を説明する説明図である。
【図８】吊戸に前後方向の衝撃荷重が加わって車輪が前方に移動した場合、その移動距離が後面部当接部で規制されて車輪の脱輪が防止される作用を説明する説明図である。
【図９】引戸に上下方向と前後方向の衝撃荷重が同時に加わった場合において、下面部当接部と後面部当接部の移動規制によって車輪の脱輪が防止される作用を説明する説明図である。
【図１０】戸車装置の他の態様を示す分解斜視図である。
【図１１】その戸車装置を示す斜視図である。
【図１２】その戸車装置を示す側面図である。
【図１３】円弧状の切欠開口部によって後面部当接部を形成した場合の他の例を示す側面図である。
【図１４】円弧状の切欠開口部によって後面部当接部を形成した場合のその他の例を示す側面図である。
【図１５】後面部当接部を爪状部の先端の鋭部を以て構成した場合の他の例を示す側面図である。
【図１６】後面部当接部を爪状部の先端の鋭部を以て構成した場合のその他の例を示す側面図である。
【図１７】下面部当接部材を立壁板の左右に設けてなる戸車装置を示す斜視図である。
【図１８】下面部当接部材を立壁板の後面に設けた保持溝に保持させる戸車装置を示す部分斜視図と断面図である。
【図１９】戸車装置のその他の態様を示す斜視図である。
【図２０】戸車装置のその他の態様を示す斜視図である。
【図２１】戸車装置のその他の態様を示す斜視図と断面図である。
【図２２】立壁板の左右両側に後面部当接部が設けられてなる戸車装置を示す斜視図である。
【図２３】立壁板の左右両側に後面部当接部が設けられてなる戸車装置の他の態様を示す斜視図である。
【図２４】戸車装置のその他の態様を示す斜視図である。
【図２５】従来の脱輪防止戸車装置の一例を示す断面図である。
【図２６】従来の脱輪防止戸車装置の他の例を示す断面図である。
【図２７】従来の脱輪防止戸車装置の問題点を示す説明図である。
【発明を実施するための形態】
【実施例１】
【００２７】
図１において本発明に係る吊戸式引戸装置１は、例えば学校や病院、福祉施設における各種の間仕切り２に用いられる間仕切り用の引戸に応用されており、レール３に吊下状態に装着されて左右方向でスライドでき該間仕切り２の出入り用の開口部５を開閉する吊戸式引戸６を具える。そして該吊戸式引戸（以下吊戸ともいう）６は、その上部７の長さ方向（吊戸６の左右方向）の戸先側９と戸尻側１０に戸車装置１１，１１が設けられている。なお本発明において、前記左右方向と直交する方向を前後方向と言い、前記レール３から離れる方向を前方という。
【００２８】
前記レール３は例えばアルミニウム製であり、図２に示すように、前記開口部５の上枠部１２にビス固定される垂直取付け片部１３の下端で前方に向けて水平に折曲形成されてなる水平片部１５の前端において、垂直に立設されており、その上端の走行部１６は、その断面が、上に突の半円弧状を呈している。該レール３は、本実施例においては図１に示すように、前記吊戸６がその自重によって自動的に閉じるように、吊戸の閉じる方向の前側が低い傾斜状態で設けられている。
【００２９】
前記戸車装置１１は、図２〜３に示すように、前記上部７に取着される取着部１７に立壁部１９を立設状態に設けてなる吊下支持部材１８の該立壁部１９の、前記レール３と相対する後側部２０に、前記走行部１６を転動する車輪２１が回転自在に設けられている。該車輪２１は、前記走行部１６に嵌め合わされる半円弧状の周溝２２を有し該走行部１６を転動して前記吊戸６の左右方向のスライドを円滑化する。
【００３０】
前記取着部１７は、本実施例においては左右方向に長い矩形板状に形成されると共に、その左右方向の両端部分にボルト挿通孔２４，２４が設けられており、該ボルト挿通孔２４，２４を挿通するボルト２３を前記引戸６の上部７に設けたネジ孔に螺合し締め付けることによって該上部７に固定される。又、該取着部１７の前後方向の前縁部２５の長さ方向の中央部分において、略長方形板状を呈する前記立壁部１９が垂直状態に折曲形成されている。
【００３１】
そして図２に示すように、該立壁部１９には、前記車輪２１が浮き上がって前記レール３から脱輪するのを防止できるように該レール３の下面部２６と当接し得る下面部当接部２７が、前記吊戸６を該レール３に吊下状態に装着した後に設けられる。且つ、前記車輪２１が前方に移動して前記レール３から脱輪するのを防止できるように該レール３の後面部２８に当接し得る後面部当接部２９が、該立壁部１９に、前記吊戸６を前記レール３に吊下状態に装着した後に設けられる。本実施例において前記下面部２６とは、垂直に立設された前記レール３の直下の下面部分２６ａだけには限られず、前記水平片部１５の下面も含むものであり、該下面部当接部２７が該下面部２６に当接するとは、該下面部２６の全体に当接することの他、該下面部２６の一部分に当接することも含まれる。
【００３２】
前記下面部当接部２７は、本実施例においては図２〜５に示すように、前記吊戸６を前記レール３に吊下状態に装着した後に前記立壁部１９に設けられる下面部当接部材３０を用いて構成されている。該下面部当接部材３０は、例えば鉄製であり、図３に示すように平面視でコ字状を呈している。より具体的には、前記立壁部１９の前面部３１に当接する状態で着脱可能にビス固定される矩形板状を呈する基片３２の左右側（本実施例においては左右端）に、矩形板状を呈する側片３５，３５が屈曲により突設されてなる。そして該両側片３５，３５は、前記車輪２１の下側に位置させて前記立壁部１９に設けられた左右の挿通溝（上下方向に長い挿通溝）３３，３３に、その前側からその後側に向けて挿通される。
【００３３】
本実施例においては、図４に示すように、該左右の挿通溝３３，３３を挿通した該両側片３５，３５の該挿通溝３３，３３からの突出部分３６，３６の下端３７，３７が、前記取着部１７の上面部３９に当接する如くなされている。そして、該突出部分３６，３６の下端３７，３７が該取着部１７の上面部３９に当接した状態で、該突出部分３６，３６の上端４０，４０が、前記レール３の下面部２６と当接し得る前記下面部当接部２７を構成する。
【００３４】
該下面部当接部２７は、図２（Ｂ）に拡大して示すように、該下面部２６から下方に下方規制距離（０．１〜０．７ｍｍ程度、例えば０．５ｍｍ程度）Ｌ１を隔てて配設される。前記基片３２の中央部には、図３に示すようにビス挿通孔４１が設けられており、該ビス挿通孔４１を挿通するビス４２が、前記左右の挿通溝３３，３３間で設けたネジ孔４３に螺合され締め付けられることによって、図５に示すように、該基片３２が前記立壁部１９の前面部３１に着脱可能にビス固定される。
【００３５】
又、前記後面部当接部２９は、前記吊戸６を前記レール３に吊下状態に装着した後に前記立壁部１９に設けられる後面部当接部材４５を用いて構成されている。該後面部当接部材４５は、例えば鉄製であり、本実施例においては図３〜５に示すように、前記立壁部１９の前面部３１に着脱可能にビス固定される固定片４６に後方突出片４７を設けてなる。本実施例においては該固定片４６は、上下に長い矩形板状に構成されており、前記左右方向で見た一方側の縁３４において、後方に突出する矩形板状の前記後方突出片４７が、前記車輪２１が存する後側に向けて突設されている。該後方突出片４７の下端部分３８には、前記レール３の前記走行部１６を嵌め入れるための切欠開口部４８が設けられている。該切欠開口部４８は、本実施例においては図２〜３に示すように、円の下端側の部分が例えば１／４程度切除された、下端４９が開放した円弧状の切欠開口部として構成されている。該円弧状の切欠開口部の下端４９の後側の縁部分６１は、図２（Ｃ）に拡大して示すように、前方に向けて先細となる爪状部６１ａとして構成されており、該爪状部６１ａの先端の鋭部６２が、前記レール３の後面部２８に当接し得る前記後面部当接部２９とされている。該円弧状の切欠開口部としての前記切欠開口部４８は、例えば、円形の打ち抜き金型を用いて打ち抜きプレス加工を施すことにより簡易に形成できる。
【００３６】
該後面部当接部２９は、本実施例においては、図２（Ｃ）に拡大して示すように、前記レール３の後面部２８から後方に後方規制距離（０．１〜２．６ｍｍ程度、例えば１．８ｍｍ程度）Ｌ２を隔てて配設される。
【００３７】
本実施例においては図３に示すように、前記固定片４６の上下部分にビス挿通孔５０，５０が設けられると共に、該ビス挿通孔５０，５０を挿通するビス５１が、前記立壁部１９の左右方向の前記一方側の上下に設けられているネジ孔５２，５２に螺合され締め付けられることによって、図５に示すように、該固定片４６が、前記立壁部１９の前面部３１に着脱可能にビス固定される如くなされている。
【００３８】
前記吊戸６を前記レール３に吊下状態に装着するに際しては、前記下面部当接部材３０と前記後面部当接部材４５を前記立壁部１９から取り外した状態で行う。図６は、吊戸６をレール３に装着した状態を示している。その後、この状態で図２、図４〜５に示すように、前記下面部当接部材３０を前記立壁部１９に取り付ける。なお、図４〜５においては、前記吊戸６の図示が省略されている。該下面部当接部材３０の取り付けは、前記両側片３５，３５を、前記左右の挿通溝３３，３３に、前記前後方向の前側からその後側に向けて挿通させ、前記基片３２を前記立壁部１９の前面３１に当接させて行う。この状態で図２（Ａ）、図４に示すように、該両側片３５，３５の、該挿通溝３３，３３から後方に突出した突出部分３６，３６の下端３７，３７が、前記取着部１７の上面部３９に当接した状態となる。その後、前記基片３２に設けられているビス挿通孔４１に、前側からビス４２を挿通し、そのネジ軸部５３を前記ネジ孔４３に螺合し締め付ける。これによって前記下面部当接部材３０は、図２（Ａ）、図４〜５に示すように、立壁部１９の前面部３１に着脱可能にビス固定されると共に両側片３５，３５の下端３７，３７が前記取着部１７の上面部３９に当接した安定状態で固定されることになる。この状態で、図２（Ａ）（Ｂ）に示すように、前記レール３の下面部２６に当接し得る下面部当接部２７が、該下面部２６から下方に下方規制距離（前記Ｌ１）を隔てて配設されることになる。
【００３９】
又図４〜５に示すように、前記切欠開口部４８に前記レール３の前記走行部１６を嵌め入れた状態にすると共に、前記後面部当接部材４５の前記固定片４６を前記立壁部１９の前面部３１に当接させ、前記上下のビス挿通孔５０，５０に前側から挿通するビス５１，５１のネジ軸部５４，５４（図３）を、前記上下のネジ孔５２，５２に螺合し締め付ける。これによって、図２（Ａ）（Ｃ）に示すように、前記レール３の後面部２８に当接し得る後面部当接部２９が、該後面部２８から後方に前記後方規制距離（前記Ｌ２）を隔てて配設されることになる。
【００４０】
前記下面部当接部材３０と前記後面部当接部材４５をこのように固定するのであるが、通常状態においては、図２に示すように、前記下面部当接部２７が前記レール３の下面部２６から下方規制距離Ｌ１分だけ下方に位置して該下面部２６に接触しない。又、前記後面部当接部２９が前記レール３の後面部２８から後方規制距離Ｌ２分だけ後方に位置して該後面部２８に接触しない。従って、該下面部当接部２７と該後面部当接部２９が吊戸６のスライドを阻害することはない。
【００４１】
吊戸６に上下方向の衝撃荷重が加わって前記吊戸６が浮き上がった場合は、図７に示すように、前記車輪２１の浮き上がり量を、最大で、前記下方規制距離Ｌ１に相当する量に規制できるため、該下面部当接部２７が該レール３の下面部２６と当接することによって、前記車輪２１がレール３から脱輪するのを防止できることとなる。
【００４２】
より詳しく説明すれば、前記下面部当接部材３０は、前記両側片３５，３５を一体に有するために剛性が高く、然も、前記突出部分３６，３６の下端３７，３７が前記取着部１７の上面部３９に当接状態にあるため、該下面部当接部２７に加わった下方向への衝撃荷重によって該突出部分３６，３６が変形する恐れがない。従って、該衝撃荷重を、前記取着部１７を介して前記吊戸６の上部７で安定状態で支持できることとなり、前記車輪２１が前記レール３から脱輪するのを効果的に防止できる。
【００４３】
又、前記吊戸６に前方向の衝撃荷重が加わって前記車輪２１が前方に図８に示すように移動した場合は、その移動距離を、最大で、前記後方規制距離Ｌ２に相当する量に規制できる。従って、該後面部当接部２９が前記レール３の後面部２８に当接することによって車輪２１の前方への移動を規制でき、該車輪２１が前記レール３の前方側で脱輪するのを防止できる。本実施例においては、前記レール３がアルミニウム製であり且つ前記後面部当接部材４５が鉄製であるため、前方向への衝撃荷重が加わったとき、前方に向けて先細となる前記爪状部６１ａの先端の鋭部６２（前記後面部当接部２９）が、前記レール３の後面部２８に一瞬、食い込む状態となりやすい。このように食い込む状態となった時は、該後面部当接部２９が該レール３の後面部２８を上滑りしにくく、吊戸式引戸の脱輪をより効果的に防止できることとなる。
【００４４】
図９は、吊戸６に上下方向の衝撃荷重と前後方向の衝撃荷重が同時に加わった場合を示すものであり、前記下面部当接部２７が該レール３の下面部２６と当接し且つ前記後面部当接部２９が前記レール３の後面部２８に当接することによって、前記車輪２１が前記レール３から脱輪するのを防止できる。
【実施例２】
【００４５】
本発明は、前記実施例で示したものに限定されるものでは決してなく、「特許請求の範囲」の記載内で種々の設計変更が可能であることはいうまでもない。その一例を挙げれば次のようである。
【００４６】
(1) 前記下面部当接部材３０は、前記吊戸６に上下方向の衝撃荷重が加えられたときに前記車輪２１が浮き上がって前記レール３から脱輪するのを防止できる限り、前記突出部分３６，３６が前記取着部１７の上面部３９から浮き上がった状態とされてもよい。
【００４７】
(2) 図１０〜１３は、前記下面部当接部材３０の他の態様を示すものであり、側面視でＬ字状を呈している。より具体的には、前記立壁部１９の前面部３１に当接状態で着脱可能にビス固定される、左右方向に長い矩形板状を呈する垂直片６３の下端で、後方に突出する矩形板状を呈する水平片６５が、前記車輪２１が存する後側に向けて突設されている。該垂直片６３には、図１０に示すように、その左右両側にビス挿通孔６６，６６が設けれている。そして該水平片６５は、前記車輪２１の下側に位置させて前記立壁部１９に設けられてなる左右方向に長い横挿通溝６６に、その前側から後側に向けて挿通される。
【００４８】
そして図１１〜１２に示すように、前記水平片６５を前記横挿通溝６７に、その前側からその後側に向けて挿通させ、前記垂直片６３を前記立壁部１９の前面部３１に当接させた状態で、前記ビス挿通孔６６，６６を挿通するビス６９が、前記立壁部１９の前記横挿通溝６７の上側に位置させて設けた左右のネジ孔７０，７０に螺合され締め付けられることによって、図１１に示すように、前記垂直片６３が、前記立壁部１９の前面部３１に着脱可能にビス固定される。そして、前記横挿通溝６７からの突出部分７１の矩形状を呈する水平な上面７２（図１１（Ｂ）、図１２）が、前記レール３の下面部２６と当接し得る前記下面部当接部２７を構成する。該下面部当接部２７は、図１２（Ｂ）に示すように、該下面部２６から下方に前記下方規制距離Ｌ１を隔てて配設される。なお図１１（Ａ）（Ｂ）においては、前記吊戸６の図示が省略されている。
【００４９】
(3) 前記後方規制距離Ｌ２は、前記のように０．１〜２．６ｍｍ程度に設定するのが好ましい。図１３、図１４は、前記欠切開口部４８を直径が１３ｍｍの円弧状の切欠開口部として構成した場合を示すものである。図１３においては、円の下端側の部分が切除されて、前記後方規制距離Ｌ２が２．６ｍｍに設定されている。又図１４においては、円の下端側の部分が切除されて、前記後方規制距離Ｌ２が０．１ｍｍに設定されている。
【００５０】
(4) 図１５、図１６は、前記後面部当接部２９が、前方に向けて先細となる爪状部６１ａの先端の鋭部６２として構成された場合の他の態様を示すものである。図１５においては、前記欠切開口部４８がＵ字状に形成されている。又図１６は、前記後面当接部材４５を構成する垂下板部７３に、前方に向けて先細となる爪状部６１ａを設け、該爪状部６１ａの先端の鋭部６２を後面部当接部２９としている。
【００５１】
(5) 又、前記下面部当接部材３０は、図１７に示すように、前記側片３５，３５が、前記立壁部１９の左右端５５，５６の稍内方に位置させて設けられることもある。なお図１７において、前記吊戸６の図示が省略されている。
【００５２】
前記下面部当接部材３０は、例えば図１８に示すように、前記立壁部１９の後面５７に設けた保持部（保持溝部や保持軸等）５９に保持された状態で、前記立壁部１９にその前側から、着脱可能にビス６０で固定される如く構成することもある。前記下面部当接部材３０は、例えば図１７、図１８に示すようなＬ字状を呈するものであってもよい他、例えば特許文献１に示されているような軸状支持部材を以て構成することもできる。
【００５３】
(6) 前記後面部当接部２９は、前記吊戸６に前後方向の衝撃荷重が加わった場合において、前記車輪２１が前後方向で移動して前記レール３から脱輪するのを防止できる限り各種に構成され得る。
【００５４】
例えば図１９に示すように、前記立壁部１９の前面部３１に着脱可能にビス固定される固定片４６の上側部分の、前記左右方向で見た一方側の縁４９において、後方に突出する矩形板状の前記後方突出片４７が、前記車輪２１が存する後面側に向けて突設されており、その後側部分の下端には、前記レール３の前記後面部２８に当接し得る後面部当接部２９が設けられている。該後面部当接部２９は、前記と同様の円弧状の切欠開口部４８を以て構成されている。
【００５５】
又図２０に示すように、前記後面部当接部２９を有する前記後方突出片４７は、前記立壁部１９の前面３１に着脱可能にビス固定される固定片４６の上端で連設されてもよい。
【００５６】
又、前記後面部当接部材４５は、例えば図２１に示すように、前記立壁部１９の後面５７に設けた保持部（保持溝や保持軸等）５９に保持された状態で前記立壁部１９に着脱可能にビス固定される如く構成することもある。又前記後面部当接部２９は、例えば図２２、図２３に示すように、前記立壁板１９の左右両側に設けられることもある。
【００５７】
図２０、図２１、図２２においては、前記後面部当接部材４５を構成する後面部当接部２９が平面状に形成されているが、線状や点状等の突部を以て構成されることもある。なお図１９〜２２においては、前記吊戸６の図示が省略されている。
【００５８】
(7) 前記下面部当接部材３０と前記後面部当接部材４５は、前記立壁部１９に設けられることの他、前記基板１７を含めて、前記吊下支持部材１８（図３）の適宜の部位に設けることができる。
【００５９】
(8) 前記実施例においては、前記固定片４６を上下２本のビス５１，５１を用いて立壁部１９に着脱可能に固定する場合が示されているが、例えば図２４に示すように、該固定片４６の下端部分５７を保持溝部５９に挿入させた状態で該固定片４６の上側部分６０を１本のビス５１を用いて立壁板１９に着脱可能にビス固定することもある。なお図２４においては、前記吊戸６の図示が省略されている。
【００６０】
(9) 前記レール３は水平状態に設けられることがある。この場合は、前記吊戸６を、例えば公知の引戸クローザー（図示せず）により自動的に閉じるように構成することができる。
【００６１】
(10)前記したように、前記下方規制距離Ｌ１は例えば０．１〜０．７ｍｍ程度に設定でき、又前記後方規制距離Ｌ２は例えば０．１〜２．６ｍｍ程度に設定できるが、前記Ｌ１やＬ２の大きさは、前記戸車装置１１や前記吊戸６等の製作誤差、各種の施工誤差、吊戸の走行状態を考慮して、本発明の前記課題を達成できるように所要値に設定するものである。
【００６２】
(11)前記吊下支持部材１８を構成する前記取着部１７や前記立壁部１９は、前記実施例で示した板状を呈するものには限定されない。
【００６３】
(12)前記下面部当接部２７と前記後面部当接部２９は、一つの部材に組み込まれることもある。
【００６４】
(13)前記吊戸６は、前記開口部５を開いた状態において、戸袋内に納まるように設置されることがある他、戸袋を設けないで、間仕切り壁２に重なるように設置されることもある。
【００６５】
(14)本発明は、各種の間仕切り用の吊戸式引戸に対して応用でき、例えば家庭用の吊戸に対しても応用できる。
【符号の説明】
【００６６】
１  吊戸式引戸装置
２  間仕切り
３  レール
５  開口部
６  吊戸式引戸
７  上部
１１  戸車装置
１６  走行部
１７  取着部
１９  立壁部
２１  車輪
２２  周溝
２６  下面部
２７  下面部当接部
２８  後面部
２９  後面部当接部
３０  下面部当接部材
３１  前面
３３  挿通溝
３５  側片
３６  突出部分
３７  下端
３９  上面
４０  上端
４５  後面部当接部材
４６  固定片
４７  後方突出片
４８  欠切開口部
５９  保持部
【図１】
2014091928.tif 000003
【図２】
2014091928.tif 000004
【図３】
2014091928.tif 000005
【図４】
2014091928.tif 000006
【図５】
2014091928.tif 000007
【図６】
2014091928.tif 000008
【図７】
2014091928.tif 000009
【図８】
2014091928.tif 000010
【図９】
2014091928.tif 000011
【図１０】
2014091928.tif 000012
【図１１】
2014091928.tif 000013
【図１２】
2014091928.tif 000014
【図１３】
2014091928.tif 000015
【図１４】
2014091928.tif 000016
【図１５】
2014091928.tif 000017
【図１６】
2014091928.tif 000018
【図１７】
2014091928.tif 000019
【図１８】
2014091928.tif 000020
【図１９】
2014091928.tif 000021
【図２０】
2014091928.tif 000022
【図２１】
2014091928.tif 000023
【図２２】
2014091928.tif 000024
【図２３】
2014091928.tif 000025
【図２４】
2014091928.tif 000026
【図２５】
2014091928.tif 000027
【図２６】
2014091928.tif 000028
【図２７】
2014091928.tif 000029
【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
レールに吊下状態に装着されて左右方向でスライドして開口部を開閉する吊戸式引戸の上部に設けられる脱輪防止戸車装置であって、
前記上部に取着される取着部に立壁部が立設状態に設けられてなる吊下支持部材の該立壁部の後側部に、前記レールの上端の走行部を転動する車輪が回転自在に設けられており、
前記吊下支持部材には、前記車輪が浮き上がって前記レールから脱輪するのを防止できるように該レールの下面部に当接し得る下面部当接部と、前記車輪が前方に移動して前記レールから脱輪するのを防止できるように前記レールの後面部に当接し得る後面部当接部が設けられる如く構成されており、
該下面部当接部は、前記下面部から下方に下方規制距離を隔てる如く、前記吊戸式引戸を前記レールに吊下状態に装着した後に設けられると共に、前記後面部当接部は、前記後面部から後方に後方規制距離を隔てる如く、前記吊戸式引戸を前記レールに吊下状態に装着した後に設けられてなる吊戸式引戸の脱輪防止戸車装置であって、
前記下面部当接部は下面部当接部材を用いて構成されており、該下面部当接部材は、前記立壁部の前面部に着脱可能にビス固定される基片の左右側に側片が突設されてなり、該両側片は、前記車輪の下側に位置させて前記立壁部に設けられてなる左右の挿通溝にその前側からその後側に向けて挿通されるものであり、該左右の挿通溝を挿通した該両側片の該挿通溝から後方に突出した突出部分の下端が前記取着部の上面部に当接する如くなされ、該当接した状態で、該突出部分の上端が前記下面部当接部となることを特徴とする吊戸式引戸の脱輪防止戸車装置。
【請求項２】
前記後面部当接部は後面部当接部材を用いて構成されており、該後面部当接部材は、前記立壁部の前面部に着脱可能にビス固定される固定片に後方突出片が設けられてなり、該後方突出片は、前記車輪が存する後側に向けて突出し且つ前記レールの後面部に当接し得る前記後面部当接部を有することを特徴とする請求項１記載の吊戸式引戸の脱輪防止戸車装置。
【請求項３】
レールに吊下状態に装着されて左右方向でスライドして開口部を開閉する吊戸式引戸の上部に設けられる脱輪防止戸車装置であって、
前記上部に取着される取着部に立壁部が立設状態に設けられてなる吊下支持部材の該立壁部の後側部に、前記レールの上端の走行部を転動する車輪が回転自在に設けられており、
前記吊下支持部材には、前記車輪が浮き上がって前記レールから脱輪するのを防止できるように該レールの下面部に当接し得る下面部当接部と、前記車輪が前方に移動して前記レールから脱輪するのを防止できるように前記レールの後面部に当接し得る後面部当接部が設けられる如く構成されており、
該下面部当接部は、前記下面部から下方に下方規制距離を隔てる如く、前記吊戸式引戸を前記レールに吊下状態に装着した後に設けられると共に、前記後面部当接部は、前記後面部から後方に後方規制距離を隔てる如く、前記吊戸式引戸を前記レールに吊下状態に装着した後に設けられてなる吊戸式引戸の脱輪防止戸車装置であって、
前記後面部当接部は、前方に向けて先細となる爪状部の先端の鋭部として構成されていることを特徴とする吊戸式引戸の脱輪防止戸車装置。
【請求項４】
レールに吊下状態に装着されて左右方向でスライドして開口部を開閉する吊戸式引戸の上部に設けられる脱輪防止戸車装置であって、
前記上部に取着される取着部に立壁部が立設状態に設けられてなる吊下支持部材の該立壁部の後側部に、前記レールの上端の走行部を転動する車輪が回転自在に設けられており、
前記吊下支持部材には、前記車輪が浮き上がって前記レールから脱輪するのを防止できるように該レールの下面部に当接し得る下面部当接部と、前記車輪が前方に移動して前記レールから脱輪するのを防止できるように前記レールの後面部に当接し得る後面部当接部が設けられる如く構成されており、
該下面部当接部は、前記下面部から下方に下方規制距離を隔てる如く、前記吊戸式引戸を前記レールに吊下状態に装着した後に設けられると共に、前記後面部当接部は、前記後面部から後方に後方規制距離を隔てる如く、前記吊戸式引戸を前記レールに吊下状態に装着した後に設けられてなる吊戸式引戸の脱輪防止戸車装置であって、
前記後面部当接部は後面部当接部材を用いて構成されており、該後面部当接部材は、前記立壁部の前面部に着脱可能にビス固定される固定片に後方突出片が設けられてなり、該後方突出片は、前記車輪が存する後側に向けて突出し且つ前記レールの後面部に当接し得る前記後面部当接部を有しており、
前記後方突出片の下端部分に、前記レールの前記走行部を嵌め入れるための、下端が開放した切欠開口部が設けられており、該切欠開口部は、円の下端側の部分が切除された円弧状の切欠開口部として構成されており、該円弧状の切欠開口部の下端の後側の縁部が前記後面部当接部とされており、該後面部当接部である該後側の縁部は、前方に向けて先細となる爪状部の先端の鋭部として構成されていることを特徴とする吊戸式引戸の脱輪防止戸車装置。
【請求項５】
前記レールに吊下状態に装着されて左右方向でスライドして開口部を開閉する吊戸式引戸を具える吊戸式引戸装置であって、該吊戸式引戸の上部に、請求項１、２、３又は４記載の吊戸式引戸の脱輪防止戸車装置が設けられていることを特徴とする脱輪防止機能を有する吊戸式引戸装置。
【請求項６】
レールに吊下状態に装着されて左右方向でスライドして開口部を開閉する吊戸式引戸の脱輪防止方法であって、
該吊戸式引戸の上部には吊下支持部材が設けられてなり、該吊下支持部材は、該上部に取着される取着部に立壁部が立設状態に設けられてなり該立壁部の後側部に、前記レールの上端の走行部を転動する車輪が回転自在に設けられており、該吊下支持部材には、前記車輪が浮き上がって前記レールから脱輪するのを防止できるように前記レールの下面部に当接し得る下面部当接部が、該下面部から下方に下方規制距離を隔てる如く設けられるものとなされると共に、前記吊下支持部材には、前記車輪が前方に移動して前記レールから脱輪するのを防止できるように前記レールの後面部に当接し得る後面部当接部が、該後面部から後方に後方規制距離を隔てる如く設けられるものとなされており、
前記下面部当接部と前記後面部当接部とを前記立壁部から取り外した状態で前記吊戸式引戸を前記レールに吊下状態に装着して後に、該下面部当接部と該後面部当接部を前記立壁部に設けることとし、
又、前記下面部当接部は下面部当接部材を用いて構成し、該下面部当接部材は、前記立壁部の前面部に着脱可能にビス固定される基片の左右側に側片が突設されたものとして構成し、前記後面部当接部は後面部当接部材を用いて構成し、該後面部当接部材は、前記立壁部の前面部に着脱可能にビス固定される固定片に、前記レールの後面部に当接し得る前記後面部当接部を有する後方突出片が設けられたものとして構成し、
前記吊戸式引戸を前記レールに吊下状態に装着した後に、
前記立壁部に設けられた左右の挿通溝に前記左右の側片を挿通させると共に該両側片の該挿通溝から後方に突出した突出部分の下端を前記取着部の上面部に当接させた状態で前記基片を前記立壁部の前面部に着脱可能にビス固定することによって、該突出部分の上端を前記下面部当接部となし、又、前記後方突出片を、前記後面部当接部が前記レールの前記後面部と対向する状態として後、前記固定片を前記立壁部の前面部に着脱可能にビス固定することを特徴とする吊下式引戸の脱輪防止方法。
【手続補正２】
【補正対象書類名】明細書
【補正対象項目名】全文
【補正方法】変更
【補正の内容】
【発明の詳細な説明】
【技術分野】
【０００１】
本発明は、吊戸式引戸の脱輪防止戸車装置に関するものであり、又、これを用いる脱輪防止機能を有する吊戸式引戸装置に関するものであり、更に、吊戸式引戸の脱輪防止方法に関するものである。
【背景技術】
【０００２】
学校や病院、福祉施設等における間仕切り用の引戸の一例として吊戸式引戸が用いられている。該吊戸式引戸は、レールに吊下状態に装着されて左右方向でスライドして開口部を開閉するように構成されており、該吊戸式引戸の戸先側と戸尻側に夫々設けられた戸車装置は、該レール上を転動する１個の車輪が回転自在に設けられてなるものであった。
【０００３】
そのため、該吊戸式引戸に衝撃が加えられた際にその衝撃が車輪に伝わり該車輪がレールから脱輪する恐れがあった。このような脱輪が発生する場合の一例としては、例えば、吊戸式引戸を勢いよく閉めた際に該引戸が開口部の縦枠に当たって跳ね返るとき等に発生する上下方向の衝撃で該引戸が浮き上がって脱輪する場合を挙げることができる。特に学校間仕切りの引戸は頻繁に開け閉めされるために、かかる上下方向の衝撃に起因する脱輪の恐れが高かった。又、引戸の側面部に人や車椅子が誤ってぶつかる等して引戸にその側面から衝撃的な横荷重が加わったときも、引戸が浮き上がったり引戸が撓んだりして脱輪する恐れがあった。
【０００４】
そこで、引戸に加えられた衝撃を吸収する機能を有する吊戸式引戸装置として特許文献１が開示するものが提案されている。特許文献１の図５に記載されている吊戸式引戸装置ａは、図２５に示すように、レールｂに吊下状態に装着されて左右方向でスライドして開口部を開閉する引戸ｃと、該引戸ｃを吊り下げる吊金具ｄと、レールｂの上を走行する車輪ｅと、該吊金具ｄと引戸ｃとを連結する連結部材ｆと、引戸ｃに加えられた衝撃を吸収する緩衝部材ｇを具えている。又、該吊金具ｄの鉛直板部ｈには、前記レールｂの直下において水平状態に突出する、ネジ軸又はピン等としての軸状支持部材ｊが突設されている。
【０００５】
そして特許文献１の説明によると、該引戸ｃに衝撃が加わった際は、図２６に示すように、引戸ｃが傾き、該引戸ｃと前記吊金具ｄとによって前記緩衝部材ｇが弾性的に圧縮され、従って、該引戸ｃに加えられた衝撃は、緩衝部材ｇを圧縮する力に変換されて吸収されることとなり、その衝撃による車輪ｅの離脱が防止されると記載されている。又、引戸ｃに加えられた衝撃によって吊金具ｄが持ち上げられると、前記軸状支持部材ｊ（図２５）が前記レールｂの下面部ｋに当接することとなり、該緩衝部材ｇの緩衝機能と相まって、車輪ｅの離脱が防止されると説明されている。
【０００６】
ところで、前記引戸ｃに加えられた衝撃のうち上下方向の衝撃によって引戸ｃが浮き上がった場合は、前記軸状支持部材ｊが前記レールｂの下面部ｋに当接することによってそれ以上の引戸の浮き上がりを阻止し得ることから車輪ｅの離脱が防止されると考えられる。しかしながら衝撃的な横方向（前後方向）の荷重に対しては、前記緩衝部材ｇの緩衝作用によって脱輪を防止できるとは必ずしもいえないと考えられる。なぜなら、特許文献１においては、緩衝部材ｇが弾性圧縮されることに伴う衝撃吸収によって車輪ｅの離脱を防止できるとされている（図２６）が、横方向（前後方向）の衝撃荷重によって引戸が傾いたときは例えば図２７に示すように前記吊金具ｄも同時に傾くこととなり、これに伴い車輪ｅが同図に示すように傾き、該衝撃荷重が大きいときは該車輪ｅがレールｂから離脱すると考えられる。
【０００７】
特許文献１の段落００２１にも記載されているように、一般に、車輪ｅを滑らかに走行させるためには、該車輪ｅの外周面には前記レールｂの走行部ｍに嵌め合わされる円弧状の周溝ｎが形成されると共に該走行部ｍの断面形状が略円形乃至円弧状に設定されると考えられるが、そうであるならば、横荷重によって前記引戸ｃが傾いた際に前記吊金具ｄが前記走行部ｍの車輪ｅとの接触点ｐを支点としてなお一層傾き易く、該車輪ｅがレールｂから離脱し易いと考えられる。
【０００８】
このように特許文献１に係る吊戸式引戸装置にあっては、上下方向の衝撃荷重に対する脱輪防止は達成されているとしても、横方向の衝撃荷重に対する脱輪防止は不確実であったのである。
【先行技術文献】
【特許文献】
【０００９】
【特許文献１】特開２００８−８１９５６号公報
【発明の概要】
【発明が解決しようとする課題】
【００１０】
本発明は、前記従来の問題点に鑑みて開発されたものであり、吊戸式引戸に衝撃荷重が加えられた際においても脱輪を防止して吊戸式引戸の外れ防止や転倒防止を図り得る吊戸式引戸の脱輪防止戸車装置の提供を課題とするものであり、又、脱輪防止機能を有する吊戸式引戸装置の提供を課題とするものである。更に、吊戸式引戸をレールに吊下状態に装着する際において、吊戸式引戸の吊下作業を容易に行うことができながら確実に脱輪防止を達成できる吊戸式引戸の脱輪防止方法の提供を課題とするものである。
【課題を解決するための手段】
【００１１】
前記課題を解決するため本発明は以下の手段を採用する。
即ち、本発明に係る吊戸式引戸用の脱輪防止戸車装置（以下、戸車装置という）の第１の態様は、レールに吊下状態に装着されて左右方向でスライドして開口部を開閉する吊戸式引戸の上部に設けられる脱輪防止戸車装置であって、前記上部に取着される取着部に立壁部が立設状態に設けられてなる吊下支持部材の該立壁部の後側部に、前記レールの上端の走行部を転動する車輪が回転自在に設けられており、前記吊下支持部材には、前記車輪が浮き上がって前記レールから脱輪するのを防止できるように該レールの下面部に当接し得る下面部当接部と、前記車輪が前方に移動して前記レールから脱輪するのを防止できるように前記レールの後面部に当接し得る後面部当接部が設けられる如く構成されており、該下面部当接部は、前記下面部から下方に下方規制距離を隔てる如く、前記吊戸式引戸を前記レールに吊下状態に装着した後に設けられると共に、前記後面部当接部は、前記後面部から後方に後方規制距離を隔てる如く、前記吊戸式引戸を前記レールに吊下状態に装着した後に設けられてなる吊戸式引戸の脱輪防止戸車装置である。そして、前記下面部当接部は下面部当接部材を用いて構成されており、該下面部当接部材は、前記立壁部の前面部に着脱可能にビス固定される基片の左右側に側片が突設されてなり、該両側片は、前記車輪の下側に位置させて前記立壁部に設けられてなる左右の挿通溝にその前側からその後側に向けて挿通されるものであり、該左右の挿通溝を挿通した該両側片の該挿通溝から後方に突出した突出部分の下端が前記取着部の上面部に当接する如くなされ、該当接した状態で、該突出部分の上端が前記下面部当接部となることを特徴とするものである。
【００１２】
本発明に係る戸車装置の第２の態様は、前記第１の態様において、前記後面部当接部が後面部当接部材を用いて構成されており、該後面部当接部材は、前記立壁部の前面部に着脱可能にビス固定される固定片に後方突出片が設けられてなり、該後方突出片は、前記車輪が存する後側に向けて突出し且つ前記レールの後面部に当接し得る前記後面部当接部を有することを特徴とするものである。
【００１３】
本発明に係る戸車装置の第３の態様は、レールに吊下状態に装着されて左右方向でスライドして開口部を開閉する吊戸式引戸の上部に設けられる脱輪防止戸車装置であって、前記上部に取着される取着部に立壁部が立設状態に設けられてなる吊下支持部材の該立壁部の後側部に、前記レールの上端の走行部を転動する車輪が回転自在に設けられており、前記吊下支持部材には、前記車輪が浮き上がって前記レールから脱輪するのを防止できるように該レールの下面部に当接し得る下面部当接部と、前記車輪が前方に移動して前記レールから脱輪するのを防止できるように前記レールの後面部に当接し得る後面部当接部が設けられる如く構成されており、該下面部当接部は、前記下面部から下方に下方規制距離を隔てる如く、前記吊戸式引戸を前記レールに吊下状態に装着した後に設けられると共に、前記後面部当接部は、前記後面部から後方に後方規制距離を隔てる如く、前記吊戸式引戸を前記レールに吊下状態に装着した後に設けられてなる吊戸式引戸の脱輪防止戸車装置である。そして、前記後面部当接部は、前方に向けて先細となる爪状部の先端の鋭部として構成されていることを特徴とするものである。
【００１４】
本発明に係る戸車装置の第４の態様は、レールに吊下状態に装着されて左右方向でスライドして開口部を開閉する吊戸式引戸の上部に設けられる脱輪防止戸車装置であって、前記上部に取着される取着部に立壁部が立設状態に設けられてなる吊下支持部材の該立壁部の後側部に、前記レールの上端の走行部を転動する車輪が回転自在に設けられており、前記吊下支持部材には、前記車輪が浮き上がって前記レールから脱輪するのを防止できるように該レールの下面部に当接し得る下面部当接部と、前記車輪が前方に移動して前記レールから脱輪するのを防止できるように前記レールの後面部に当接し得る後面部当接部が設けられる如く構成されており、該下面部当接部は、前記下面部から下方に下方規制距離を隔てる如く、前記吊戸式引戸を前記レールに吊下状態に装着した後に設けられると共に、前記後面部当接部は、前記後面部から後方に後方規制距離を隔てる如く、前記吊戸式引戸を前記レールに吊下状態に装着した後に設けられてなる吊戸式引戸の脱輪防止戸車装置である。そして、前記後面部当接部は後面部当接部材を用いて構成されており、該後面部当接部材は、前記立壁部の前面部に着脱可能にビス固定される固定片に後方突出片が設けられてなり、該後方突出片は、前記車輪が存する後側に向けて突出し且つ前記レールの後面部に当接し得る前記後面部当接部を有しており、前記後方突出片の下端部分に、前記レールの前記走行部を嵌め入れるための、下端が開放した切欠開口部が設けられており、該切欠開口部は、円の下端側の部分が切除された円弧状の切欠開口部として構成されており、該円弧状の切欠開口部の下端の後側の縁部が前記後面部当接部とされており、該後面部当接部である該後側の縁部は、前方に向けて先細となる爪状部の先端の鋭部として構成されていることを特徴とするものである。
【００１５】
本発明に係る脱輪防止機能を有する吊戸式引戸装置は、前記レールに吊下状態に装着されて左右方向でスライドして開口部を開閉する吊戸式引戸を具える吊戸式引戸装置であって、該吊戸式引戸の上部に、前記第１、第２、第３又は第４の態様に記載の吊戸式引戸の脱輪防止戸車装置が設けられていることを特徴とするものである。
【００１６】
本発明に係る吊下式引戸の脱輪防止方法は、レールに吊下状態に装着されて左右方向でスライドして開口部を開閉する吊戸式引戸の脱輪防止方法であって、該吊戸式引戸の上部には吊下支持部材が設けられてなり、該吊下支持部材は、該上部に取着される取着部に立壁部が立設状態に設けられてなり該立壁部の後側部に、前記レールの上端の走行部を転動する車輪が回転自在に設けられており、該吊下支持部材には、前記車輪が浮き上がって前記レールから脱輪するのを防止できるように前記レールの下面部に当接し得る下面部当接部が、該下面部から下方に下方規制距離を隔てる如く設けられるものとなされると共に、前記吊下支持部材には、前記車輪が前方に移動して前記レールから脱輪するのを防止できるように前記レールの後面部に当接し得る後面部当接部が、該後面部から後方に後方規制距離を隔てる如く設けられるものとなされており、前記下面部当接部と前記後面部当接部とを前記立壁部から取り外した状態で前記吊戸式引戸を前記レールに吊下状態に装着して後に、該下面部当接部と該後面部当接部を前記立壁部に設けることとし、又、前記下面部当接部は下面部当接部材を用いて構成し、該下面部当接部材は、前記立壁部の前面部に着脱可能にビス固定される基片の左右側に側片が突設されたものとして構成し、前記後面部当接部は後面部当接部材を用いて構成し、該後面部当接部材は、前記立壁部の前面部に着脱可能にビス固定される固定片に、前記レールの後面部に当接し得る前記後面部当接部を有する後方突出片が設けられたものとして構成し、前記吊戸式引戸を前記レールに吊下状態に装着した後に、前記立壁部に設けられた左右の挿通溝に前記左右の側片を挿通させると共に該両側片の該挿通溝から後方に突出した突出部分の下端を前記取着部の上面部に当接させた状態で前記基片を前記立壁部の前面部に着脱可能にビス固定することによって、該突出部分の上端を前記下面部当接部となし、又、前記後方突出片を、前記後面部当接部が前記レールの前記後面部と対向する状態として後、前記固定片を前記立壁部の前面部に着脱可能にビス固定することを特徴とするものである。
【発明の効果】
【００１７】
本発明は以下の如き優れた効果を奏する。
(1) 本発明に係る戸車装置は、下面部当接部と後面部当接部を具える如く構成され、該下面部当接部は、前記レールの下面部から下方に下方規制距離を隔てる如く設けられると共に、該後面部当接部は、前記レールの後面部から後方に後方規制距離を隔てる如く設けられている。従って本発明によるときは、吊戸式引戸に上下方向の衝撃荷重や前後方向の衝撃荷重が加えられた際においても脱輪を確実に防止できる戸車装置を提供できることとなる。そして該戸車装置を用いることによって、外れ防止や転倒防止を図り得る安全性の高い吊戸式引戸装置を提供できることとなる。
【００１８】
(2) 特に前記下面部当接部を、前記下面部当接部材を用いて構成すると共に、前記後面部当接部を前記後面部当接部材を用いて構成する場合は、吊戸式引戸をレールに吊下状態に装着する作業を容易に行うことができながら確実に脱輪防止を達成できることとなる。
【００１９】
(3) 前記下面部当接部を、前記立壁部の前面部に着脱可能にビス固定される基片の左右両側に側片が突設されてなる下面部当接部材を用いて構成することとし、両側片を前記立壁部に設けられてなる左右の挿通溝に前側からその後側に向けて挿通させ、該左右の挿通溝を挿通した該両側片の該挿通溝から後方に突出した突出部分の下端が前記取着部の上面部に当接する如くなし、該当接した状態で、該突出部分の上端が前記下面部当接部となるように構成するときは、該下面部当接部材は、該両側片を一体に有するために剛性が高く、然も、前記突出部分の下端が前記取着部の上面部に当接状態となるため、該下面部当接部に加わった下方向への衝撃荷重によって該突出部分が変形する恐れがない。従って、該衝撃荷重を前記取着部を介して前記吊戸の上部で安定状態で支持できることとなり、前記車輪が前記レールから脱輪するのを効果的に防止できる。
【００２０】
(4) 前記後面部当接部を、前方に向けて先細となる爪状部の先端の鋭部として構成する場合は、吊戸式引戸に前後方向の衝撃荷重が加えられた際において該鋭部が前記レールの後面部に一瞬、食い込む状態となりやすい。従って、該後面部当接部が該レールの後面部を上滑りしにくく、前記車輪の前後動や上下動をより確実に防止できることとなる。従って吊戸式引戸の脱輪をより効果的に防止できることとなる。
【００２１】
(5) 前記後面部当接部を前記後面部当接部材を用いて構成することとし、該後面部当接部材の有する前記後方突出片の下端部分に、前記レールの走行部を嵌め入れるための円弧状形態を呈する切欠開口部を設ける場合は、前記爪状部を有する切欠開口部を、円形の打ち抜き金型を用いて打ち抜きプレス加工を施すことにより特別な金型を何ら用いることなく簡易に形成できる利点がある。
【００２２】
(6) 又、本発明に係る吊戸式引戸の脱輪防止方法によるときは、吊戸式引戸の吊下作業を容易に行うことができながら確実に脱輪防止を達成できることとなる。
【図面の簡単な説明】
【００２３】
【図１】本発明に係る戸車装置が応用された吊戸式引戸装置を示す正面図である。
【図２】本発明に係る戸車装置を、その車輪がレールに吊下された状態で示す一部断面正面図である。
【図３】本発明に係る戸車装置を分解して示す斜視図である。
【図４】戸車装置を示す斜視図である。
【図５】戸車装置を示す斜視図である。
【図６】下面部当接部材と後面部当接部材を取り外した状態で吊戸をレールに吊下した状態を示す一部断面正面図である。
【図７】下面部当接部材と後面部当接部材を取り付けた状態で、吊戸が浮き上がった場合、その浮き上がり量が規制されて車輪の脱輪が防止される作用を説明する説明図である。
【図８】吊戸に前後方向の衝撃荷重が加わって車輪が前方に移動した場合、その移動距離が後面部当接部で規制されて車輪の脱輪が防止される作用を説明する説明図である。
【図９】引戸に上下方向と前後方向の衝撃荷重が同時に加わった場合において、下面部当接部と後面部当接部の移動規制によって車輪の脱輪が防止される作用を説明する説明図である。
【図１０】戸車装置の他の態様を示す分解斜視図である。
【図１１】その戸車装置を示す斜視図である。
【図１２】その戸車装置を示す側面図である。
【図１３】円弧状の切欠開口部によって後面部当接部を形成した場合の他の例を示す側面図である。
【図１４】円弧状の切欠開口部によって後面部当接部を形成した場合のその他の例を示す側面図である。
【図１５】後面部当接部を爪状部の先端の鋭部を以て構成した場合の他の例を示す側面図である。
【図１６】後面部当接部を爪状部の先端の鋭部を以て構成した場合のその他の例を示す側面図である。
【図１７】下面部当接部材を立壁板の左右に設けてなる戸車装置を示す斜視図である。
【図１８】下面部当接部材を立壁板の後面に設けた保持溝に保持させる戸車装置を示す部分斜視図と断面図である。
【図１９】戸車装置のその他の態様を示す斜視図である。
【図２０】戸車装置のその他の態様を示す斜視図である。
【図２１】戸車装置のその他の態様を示す斜視図と断面図である。
【図２２】立壁板の左右両側に後面部当接部が設けられてなる戸車装置を示す斜視図である。
【図２３】立壁板の左右両側に後面部当接部が設けられてなる戸車装置の他の態様を示す斜視図である。
【図２４】戸車装置のその他の態様を示す斜視図である。
【図２５】従来の脱輪防止戸車装置の一例を示す断面図である。
【図２６】従来の脱輪防止戸車装置の他の例を示す断面図である。
【図２７】従来の脱輪防止戸車装置の問題点を示す説明図である。
【発明を実施するための形態】
【実施例１】
【００２４】
図１において本発明に係る吊戸式引戸装置１は、例えば学校や病院、福祉施設における各種の間仕切り２に用いられる間仕切り用の引戸に応用されており、レール３に吊下状態に装着されて左右方向でスライドでき該間仕切り２の出入り用の開口部５を開閉する吊戸式引戸６を具える。そして該吊戸式引戸（以下吊戸ともいう）６は、その上部７の長さ方向（吊戸６の左右方向）の戸先側９と戸尻側１０に戸車装置１１，１１が設けられている。なお本発明において、前記左右方向と直交する方向を前後方向と言い、前記レール３から離れる方向を前方という。
【００２５】
前記レール３は例えばアルミニウム製であり、図２に示すように、前記開口部５の上枠部１２にビス固定される垂直取付け片部１３の下端で前方に向けて水平に折曲形成されてなる水平片部１５の前端において、垂直に立設されており、その上端の走行部１６は、その断面が、上に突の半円弧状を呈している。該レール３は、本実施例においては図１に示すように、前記吊戸６がその自重によって自動的に閉じるように、吊戸の閉じる方向の前側が低い傾斜状態で設けられている。
【００２６】
前記戸車装置１１は、図２〜３に示すように、前記上部７に取着される取着部１７に立壁部１９を立設状態に設けてなる吊下支持部材１８の該立壁部１９の、前記レール３と相対する後側部２０に、前記走行部１６を転動する車輪２１が回転自在に設けられている。該車輪２１は、前記走行部１６に嵌め合わされる半円弧状の周溝２２を有し該走行部１６を転動して前記吊戸６の左右方向のスライドを円滑化する。
【００２７】
前記取着部１７は、本実施例においては左右方向に長い矩形板状に形成されると共に、その左右方向の両端部分にボルト挿通孔２４，２４が設けられており、該ボルト挿通孔２４，２４を挿通するボルト２３を前記引戸６の上部７に設けたネジ孔に螺合し締め付けることによって該上部７に固定される。又、該取着部１７の前後方向の前縁部２５の長さ方向の中央部分において、略長方形板状を呈する前記立壁部１９が垂直状態に折曲形成されている。
【００２８】
そして図２に示すように、該立壁部１９には、前記車輪２１が浮き上がって前記レール３から脱輪するのを防止できるように該レール３の下面部２６と当接し得る下面部当接部２７が、前記吊戸６を該レール３に吊下状態に装着した後に設けられる。且つ、前記車輪２１が前方に移動して前記レール３から脱輪するのを防止できるように該レール３の後面部２８に当接し得る後面部当接部２９が、該立壁部１９に、前記吊戸６を前記レール３に吊下状態に装着した後に設けられる。本実施例において前記下面部２６とは、垂直に立設された前記レール３の直下の下面部分２６ａだけには限られず、前記水平片部１５の下面も含むものであり、該下面部当接部２７が該下面部２６に当接するとは、該下面部２６の全体に当接することの他、該下面部２６の一部分に当接することも含まれる。
【００２９】
前記下面部当接部２７は、本実施例においては図２〜５に示すように、前記吊戸６を前記レール３に吊下状態に装着した後に前記立壁部１９に設けられる下面部当接部材３０を用いて構成されている。該下面部当接部材３０は、例えば鉄製であり、図３に示すように平面視でコ字状を呈している。より具体的には、前記立壁部１９の前面部３１に当接する状態で着脱可能にビス固定される矩形板状を呈する基片３２の左右側（本実施例においては左右端）に、矩形板状を呈する側片３５，３５が屈曲により突設されてなる。そして該両側片３５，３５は、前記車輪２１の下側に位置させて前記立壁部１９に設けられた左右の挿通溝（上下方向に長い挿通溝）３３，３３に、その前側からその後側に向けて挿通される。
【００３０】
本実施例においては、図４に示すように、該左右の挿通溝３３，３３を挿通した該両側片３５，３５の該挿通溝３３，３３からの突出部分３６，３６の下端３７，３７が、前記取着部１７の上面部３９に当接する如くなされている。そして、該突出部分３６，３６の下端３７，３７が該取着部１７の上面部３９に当接した状態で、該突出部分３６，３６の上端４０，４０が、前記レール３の下面部２６と当接し得る前記下面部当接部２７を構成する。
【００３１】
該下面部当接部２７は、図２（Ｂ）に拡大して示すように、該下面部２６から下方に下方規制距離（０．１〜０．７ｍｍ程度、例えば０．５ｍｍ程度）Ｌ１を隔てて配設される。前記基片３２の中央部には、図３に示すようにビス挿通孔４１が設けられており、該ビス挿通孔４１を挿通するビス４２が、前記左右の挿通溝３３，３３間で設けたネジ孔４３に螺合され締め付けられることによって、図５に示すように、該基片３２が前記立壁部１９の前面部３１に着脱可能にビス固定される。
【００３２】
又、前記後面部当接部２９は、前記吊戸６を前記レール３に吊下状態に装着した後に前記立壁部１９に設けられる後面部当接部材４５を用いて構成されている。該後面部当接部材４５は、例えば鉄製であり、本実施例においては図３〜５に示すように、前記立壁部１９の前面部３１に着脱可能にビス固定される固定片４６に後方突出片４７を設けてなる。本実施例においては該固定片４６は、上下に長い矩形板状に構成されており、前記左右方向で見た一方側の縁３４において、後方に突出する矩形板状の前記後方突出片４７が、前記車輪２１が存する後側に向けて突設されている。該後方突出片４７の下端部分３８には、前記レール３の前記走行部１６を嵌め入れるための切欠開口部４８が設けられている。該切欠開口部４８は、本実施例においては図２〜３に示すように、円の下端側の部分が例えば１／４程度切除された、下端４９が開放した円弧状の切欠開口部として構成されている。該円弧状の切欠開口部の下端４９の後側の縁部分６１は、図２（Ｃ）に拡大して示すように、前方に向けて先細となる爪状部６１ａとして構成されており、該爪状部６１ａの先端の鋭部６２が、前記レール３の後面部２８に当接し得る前記後面部当接部２９とされている。該円弧状の切欠開口部としての前記切欠開口部４８は、例えば、円形の打ち抜き金型を用いて打ち抜きプレス加工を施すことにより簡易に形成できる。
【００３３】
該後面部当接部２９は、本実施例においては、図２（Ｃ）に拡大して示すように、前記レール３の後面部２８から後方に後方規制距離（０．１〜２．６ｍｍ程度、例えば１．８ｍｍ程度）Ｌ２を隔てて配設される。
【００３４】
本実施例においては図３に示すように、前記固定片４６の上下部分にビス挿通孔５０，５０が設けられると共に、該ビス挿通孔５０，５０を挿通するビス５１が、前記立壁部１９の左右方向の前記一方側の上下に設けられているネジ孔５２，５２に螺合され締め付けられることによって、図５に示すように、該固定片４６が、前記立壁部１９の前面部３１に着脱可能にビス固定される如くなされている。
【００３５】
前記吊戸６を前記レール３に吊下状態に装着するに際しては、前記下面部当接部材３０と前記後面部当接部材４５を前記立壁部１９から取り外した状態で行う。図６は、吊戸６をレール３に装着した状態を示している。その後、この状態で図２、図４〜５に示すように、前記下面部当接部材３０を前記立壁部１９に取り付ける。なお、図４〜５においては、前記吊戸６の図示が省略されている。該下面部当接部材３０の取り付けは、前記両側片３５，３５を、前記左右の挿通溝３３，３３に、前記前後方向の前側からその後側に向けて挿通させ、前記基片３２を前記立壁部１９の前面３１に当接させて行う。この状態で図２（Ａ）、図４に示すように、該両側片３５，３５の、該挿通溝３３，３３から後方に突出した突出部分３６，３６の下端３７，３７が、前記取着部１７の上面部３９に当接した状態となる。その後、前記基片３２に設けられているビス挿通孔４１に、前側からビス４２を挿通し、そのネジ軸部５３を前記ネジ孔４３に螺合し締め付ける。これによって前記下面部当接部材３０は、図２（Ａ）、図４〜５に示すように、立壁部１９の前面部３１に着脱可能にビス固定されると共に両側片３５，３５の下端３７，３７が前記取着部１７の上面部３９に当接した安定状態で固定されることになる。この状態で、図２（Ａ）（Ｂ）に示すように、前記レール３の下面部２６に当接し得る下面部当接部２７が、該下面部２６から下方に下方規制距離（前記Ｌ１）を隔てて配設されることになる。
【００３６】
又図４〜５に示すように、前記切欠開口部４８に前記レール３の前記走行部１６を嵌め入れた状態にすると共に、前記後面部当接部材４５の前記固定片４６を前記立壁部１９の前面部３１に当接させ、前記上下のビス挿通孔５０，５０に前側から挿通するビス５１，５１のネジ軸部５４，５４（図３）を、前記上下のネジ孔５２，５２に螺合し締め付ける。これによって、図２（Ａ）（Ｃ）に示すように、前記レール３の後面部２８に当接し得る後面部当接部２９が、該後面部２８から後方に前記後方規制距離（前記Ｌ２）を隔てて配設されることになる。
【００３７】
前記下面部当接部材３０と前記後面部当接部材４５をこのように固定するのであるが、通常状態においては、図２に示すように、前記下面部当接部２７が前記レール３の下面部２６から下方規制距離Ｌ１分だけ下方に位置して該下面部２６に接触しない。又、前記後面部当接部２９が前記レール３の後面部２８から後方規制距離Ｌ２分だけ後方に位置して該後面部２８に接触しない。従って、該下面部当接部２７と該後面部当接部２９が吊戸６のスライドを阻害することはない。
【００３８】
吊戸６に上下方向の衝撃荷重が加わって前記吊戸６が浮き上がった場合は、図７に示すように、前記車輪２１の浮き上がり量を、最大で、前記下方規制距離Ｌ１に相当する量に規制できるため、該下面部当接部２７が該レール３の下面部２６と当接することによって、前記車輪２１がレール３から脱輪するのを防止できることとなる。
【００３９】
より詳しく説明すれば、前記下面部当接部材３０は、前記両側片３５，３５を一体に有するために剛性が高く、然も、前記突出部分３６，３６の下端３７，３７が前記取着部１７の上面部３９に当接状態にあるため、該下面部当接部２７に加わった下方向への衝撃荷重によって該突出部分３６，３６が変形する恐れがない。従って、該衝撃荷重を、前記取着部１７を介して前記吊戸６の上部７で安定状態で支持できることとなり、前記車輪２１が前記レール３から脱輪するのを効果的に防止できる。
【００４０】
又、前記吊戸６に前方向の衝撃荷重が加わって前記車輪２１が前方に図８に示すように移動した場合は、その移動距離を、最大で、前記後方規制距離Ｌ２に相当する量に規制できる。従って、該後面部当接部２９が前記レール３の後面部２８に当接することによって車輪２１の前方への移動を規制でき、該車輪２１が前記レール３の前方側で脱輪するのを防止できる。本実施例においては、前記レール３がアルミニウム製であり且つ前記後面部当接部材４５が鉄製であるため、前方向への衝撃荷重が加わったとき、前方に向けて先細となる前記爪状部６１ａの先端の鋭部６２（前記後面部当接部２９）が、前記レール３の後面部２８に一瞬、食い込む状態となりやすい。このように食い込む状態となった時は、該後面部当接部２９が該レール３の後面部２８を上滑りしにくく、吊戸式引戸の脱輪をより効果的に防止できることとなる。
【００４１】
図９は、吊戸６に上下方向の衝撃荷重と前後方向の衝撃荷重が同時に加わった場合を示すものであり、前記下面部当接部２７が該レール３の下面部２６と当接し且つ前記後面部当接部２９が前記レール３の後面部２８に当接することによって、前記車輪２１が前記レール３から脱輪するのを防止できる。
【実施例２】
【００４２】
本発明は、前記実施例で示したものに限定されるものでは決してなく、「特許請求の範囲」の記載内で種々の設計変更が可能であることはいうまでもない。その一例を挙げれば次のようである。
【００４３】
(1) 前記下面部当接部材３０は、前記吊戸６に上下方向の衝撃荷重が加えられたときに前記車輪２１が浮き上がって前記レール３から脱輪するのを防止できる限り、前記突出部分３６，３６が前記取着部１７の上面部３９から浮き上がった状態とされてもよい。
【００４４】
(2) 図１０〜１３は、前記下面部当接部材３０の他の態様を示すものであり、側面視でＬ字状を呈している。より具体的には、前記立壁部１９の前面部３１に当接状態で着脱可能にビス固定される、左右方向に長い矩形板状を呈する垂直片６３の下端で、後方に突出する矩形板状を呈する水平片６５が、前記車輪２１が存する後側に向けて突設されている。該垂直片６３には、図１０に示すように、その左右両側にビス挿通孔６６，６６が設けれている。そして該水平片６５は、前記車輪２１の下側に位置させて前記立壁部１９に設けられてなる左右方向に長い横挿通溝６６に、その前側から後側に向けて挿通される。
【００４５】
そして図１１〜１２に示すように、前記水平片６５を前記横挿通溝６７に、その前側からその後側に向けて挿通させ、前記垂直片６３を前記立壁部１９の前面部３１に当接させた状態で、前記ビス挿通孔６６，６６を挿通するビス６９が、前記立壁部１９の前記横挿通溝６７の上側に位置させて設けた左右のネジ孔７０，７０に螺合され締め付けられることによって、図１１に示すように、前記垂直片６３が、前記立壁部１９の前面部３１に着脱可能にビス固定される。そして、前記横挿通溝６７からの突出部分７１の矩形状を呈する水平な上面７２（図１１（Ｂ）、図１２）が、前記レール３の下面部２６と当接し得る前記下面部当接部２７を構成する。該下面部当接部２７は、図１２（Ｂ）に示すように、該下面部２６から下方に前記下方規制距離Ｌ１を隔てて配設される。なお図１１（Ａ）（Ｂ）においては、前記吊戸６の図示が省略されている。
【００４６】
(3) 前記後方規制距離Ｌ２は、前記のように０．１〜２．６ｍｍ程度に設定するのが好ましい。図１３、図１４は、前記欠切開口部４８を直径が１３ｍｍの円弧状の切欠開口部として構成した場合を示すものである。図１３においては、円の下端側の部分が切除されて、前記後方規制距離Ｌ２が２．６ｍｍに設定されている。又図１４においては、円の下端側の部分が切除されて、前記後方規制距離Ｌ２が０．１ｍｍに設定されている。
【００４７】
(4) 図１５、図１６は、前記後面部当接部２９が、前方に向けて先細となる爪状部６１ａの先端の鋭部６２として構成された場合の他の態様を示すものである。図１５においては、前記欠切開口部４８がＵ字状に形成されている。又図１６は、前記後面当接部材４５を構成する垂下板部７３に、前方に向けて先細となる爪状部６１ａを設け、該爪状部６１ａの先端の鋭部６２を後面部当接部２９としている。
【００４８】
(5) 又、前記下面部当接部材３０は、図１７に示すように、前記側片３５，３５が、前記立壁部１９の左右端５５，５６の稍内方に位置させて設けられることもある。なお図１７において、前記吊戸６の図示が省略されている。
【００４９】
前記下面部当接部材３０は、例えば図１８に示すように、前記立壁部１９の後面５７に設けた保持部（保持溝部や保持軸等）５９に保持された状態で、前記立壁部１９にその前側から、着脱可能にビス６０で固定される如く構成することもある。前記下面部当接部材３０は、例えば図１７、図１８に示すようなＬ字状を呈するものであってもよい他、例えば特許文献１に示されているような軸状支持部材を以て構成することもできる。
【００５０】
(6) 前記後面部当接部２９は、前記吊戸６に前後方向の衝撃荷重が加わった場合において、前記車輪２１が前後方向で移動して前記レール３から脱輪するのを防止できる限り各種に構成され得る。
【００５１】
例えば図１９に示すように、前記立壁部１９の前面部３１に着脱可能にビス固定される固定片４６の上側部分の、前記左右方向で見た一方側の縁４９において、後方に突出する矩形板状の前記後方突出片４７が、前記車輪２１が存する後面側に向けて突設されており、その後側部分の下端には、前記レール３の前記後面部２８に当接し得る後面部当接部２９が設けられている。該後面部当接部２９は、前記と同様の円弧状の切欠開口部４８を以て構成されている。
【００５２】
又図２０に示すように、前記後面部当接部２９を有する前記後方突出片４７は、前記立壁部１９の前面３１に着脱可能にビス固定される固定片４６の上端で連設されてもよい。  
【００５３】
又、前記後面部当接部材４５は、例えば図２１に示すように、前記立壁部１９の後面５７に設けた保持部（保持溝や保持軸等）５９に保持された状態で前記立壁部１９に着脱可能にビス固定される如く構成することもある。又前記後面部当接部２９は、例えば図２２、図２３に示すように、前記立壁板１９の左右両側に設けられることもある。
【００５４】
図２０、図２１、図２２においては、前記後面部当接部材４５を構成する後面部当接部２９が平面状に形成されているが、線状や点状等の突部を以て構成されることもある。なお図１９〜２２においては、前記吊戸６の図示が省略されている。
【００５５】
(7) 前記下面部当接部材３０と前記後面部当接部材４５は、前記立壁部１９に設けられることの他、前記基板１７を含めて、前記吊下支持部材１８（図３）の適宜の部位に設けることができる。
【００５６】
(8) 前記実施例においては、前記固定片４６を上下２本のビス５１，５１を用いて立壁部１９に着脱可能に固定する場合が示されているが、例えば図２４に示すように、該固定片４６の下端部分５７を保持溝部５９に挿入させた状態で該固定片４６の上側部分６０を１本のビス５１を用いて立壁板１９に着脱可能にビス固定することもある。なお図２４においては、前記吊戸６の図示が省略されている。
【００５７】
(9) 前記レール３は水平状態に設けられることがある。この場合は、前記吊戸６を、例えば公知の引戸クローザー（図示せず）により自動的に閉じるように構成することができる。
【００５８】
(10)前記したように、前記下方規制距離Ｌ１は例えば０．１〜０．７ｍｍ程度に設定でき、又前記後方規制距離Ｌ２は例えば０．１〜２．６ｍｍ程度に設定できるが、前記Ｌ１やＬ２の大きさは、前記戸車装置１１や前記吊戸６等の製作誤差、各種の施工誤差、吊戸の走行状態を考慮して、本発明の前記課題を達成できるように所要値に設定するものである。
【００５９】
(11)前記吊下支持部材１８を構成する前記取着部１７や前記立壁部１９は、前記実施例で示した板状を呈するものには限定されない。
【００６０】
(12)前記下面部当接部２７と前記後面部当接部２９は、一つの部材に組み込まれることもある。
【００６１】
(13)前記吊戸６は、前記開口部５を開いた状態において、戸袋内に納まるように設置されることがある他、戸袋を設けないで、間仕切り壁２に重なるように設置されることもある。
【００６２】
(14)本発明は、各種の間仕切り用の吊戸式引戸に対して応用でき、例えば家庭用の吊戸に対しても応用できる。
【符号の説明】
【００６３】
１  吊戸式引戸装置
２  間仕切り
３  レール
５  開口部
６  吊戸式引戸
７  上部
１１  戸車装置
１６  走行部
１７  取着部
１９  立壁部
２１  車輪
２２  周溝
２６  下面部
２７  下面部当接部
２８  後面部
２９  後面部当接部
３０  下面部当接部材
３１  前面
３３  挿通溝
３５  側片
３６  突出部分
３７  下端
３９  上面
４０  上端
４５  後面部当接部材
４６  固定片
４７  後方突出片
４８  欠切開口部
５９  保持部